(57)【要約】【課題】バール等の工具を用いた手口に対しても金銭入金口の防盗性を確保することができる自動販売機を提供する。【解決手段】自動販売機の外扉には、紙幣挿入口１８及び硬貨投入口２０等の金銭入金口を設けてある。その自動販売機には、金銭入金口の前方域を覆う防護位置と、外扉の前方域から逸脱する位置である収納位置とに切り換えることができるシャッタ（防護部材）３２を設けてある。収納位置に切り換えた場合、シャッタは本体キャビネット１０の上方に移動する。【選択図】        図１
2006350969.tif 000002
【特許請求の範囲】
【請求項１】
外扉に金銭入金口を設け、その金銭入金口に金銭を入れた場合に入金処理を行う自動販売機において、
金銭入金口の前方域を覆う防護位置と、
外扉の前方域から逸脱する位置である収納位置と
に切り換えることができる防護部材を設けたことを特徴とする自動販売機。
【発明の詳細な説明】
【技術分野】
【０００１】
本発明は、自動販売機に関するものである。
【背景技術】
【０００２】
硬貨、及び紙幣等の金銭を取り扱う自動販売機にあっては、金銭の盗難に対して種々の考慮が成されている。例えば、従来の自動販売機の中には、外扉の開操作を防止する防護部材を本体キャビネット及び外扉の周囲に設けたものがある（例えば、特許文献１参照）。
【０００３】
その防護部材には、紙幣挿入口及び硬貨投入口等の金銭入金口に金銭を入金できるよう窓孔が設けてある。
【０００４】
さらに、有料駐車場の中央清算機等の屋外設置型処理機の中には、屋外設置型処理機の筐体の外側に、その筐体を覆うカバーを設け、そのカバーによって金銭の盗難が発生する虞れを低減したものがある（例えば、特許文献２）。
【０００５】
そのカバーには、金銭入金口に金銭を入金できるよう開口が設けてある。
【０００６】
【特許文献１】特開２００３−１８７３１４号公報
【特許文献２】特開２００２−３１９０４５号公報
【発明の開示】
【発明が解決しようとする課題】
【０００７】
ところで、昨今においては、例えばバール等の工具を紙幣挿入口に入れ、その工具によって紙幣挿入口を壊し、紙幣を奪う手口も見受けられるようになってきた。このような手口の場合、上述した自動販売機では、金銭入金口に金銭を入金できるよう防護部材に窓孔を設けてあるため、何等役に立たない。
【０００８】
バール等の工具を紙幣挿入口に入れる手口の場合、上述した屋外設置型処理機では、金銭入金口に金銭を入金できるよう筐体に開口が設けてあるため、何等役に立たない。
【０００９】
本発明は、上記実情に鑑みて、バール等の工具を用いた手口に対しても金銭入金口の防盗性を確保することができる自動販売機を提供することにある。
【課題を解決するための手段】
【００１０】
上記の目的を達成するために、請求項１に係る発明は、外扉に金銭入金口を設け、その金銭入金口に金銭を入れた場合に入金処理を行う自動販売機において、金銭入金口の前方域を覆う防護位置と、外扉の前方域から逸脱する位置である収納位置とに切り換えることができる防護部材を設けたことを特徴とする。
【発明の効果】
【００１１】
本発明によれば、金銭入金口の前方域を覆う防護位置と、外扉の前方域から逸脱する位置である収納位置とに切り換えることができる防護部材を設けたので、防護部材を、金銭入金口の前方域を覆う防護位置とすれば、バール等の工具を金銭入金口に入れることができず、バール等の工具を用いた手口に対しても金銭入金口の防盗性を確保することができる。
【発明を実施するための最良の形態】
【００１２】
以下に添付図面を参照して、本発明に係る自動販売機の好適な実施の形態について詳細に説明する。
【００１３】
図１及び図２は、本発明の実施の形態である自動販売機を概念的に示したものである。ここで例示する自動販売機は、本体キャビネット１０に収納した商品の販売を行うもので、本体キャビネット１０と外扉１１とシャッタ装置３０とを備えている。
【００１４】
本体キャビネット１０は、例えば複数枚の鋼板を適宜組み合わせることによって前面に開口を有する箱状に形成してある。
【００１５】
外扉１１は、本体キャビネット１０の開口を覆うためのもので、本体キャビネット１０の一側縁部に開閉可能に配設してある。
【００１６】
外扉１１の前壁パネル１２には、商品見本陳列部１３、商品取出口１６、紙幣挿入口１８、硬貨投入口２０、表示部２４、リーダライタ２５等、商品を販売する上で必要となる構成が設けてあり、且つキーシリンダ２６等、商品を補充する上で必要となる構成が設けてある。
【００１７】
商品見本陳列部１３は、本体キャビネット１０に収納した商品に対応する商品見本を外部に視認させるためのもので、前壁パネル１２に窓孔１４を形成するとともに、この窓孔１４を透明の窓板１５によって覆うことにより構成してある。図示するように、窓板１５には、商品を選択する際にＯＮ操作される押ボタン１７が商品見本毎に個別に設けてある。
【００１８】
商品取出口１６は、本体キャビネット１０に収納された商品が払い出された場合に、これを外部に取り出すための開口である。
【００１９】
紙幣挿入口１８は、利用者が紙幣を投入するための開口である。この紙幣挿入口１８を通じて投入された紙幣は、紙幣処理装置１９において適宜処理されることになる。紙幣処理装置１９は、紙幣挿入口１８を通じて投入された紙幣が正規なものであるか否かを識別し、正規なものとして識別した紙幣を内部に取り込む一方、損傷や偽造等の理由により正規な紙幣として識別できなかった紙幣を返却するものである。また、紙幣処理装置１９は、紙幣が投入された直後に返却レバー２２が操作された場合、これを返却するように機能する。なお、紙幣挿入口１８は、紙幣を返却する際の紙幣返却口としても機能する。
【００２０】
硬貨投入口２０は、利用者が硬貨を投入するための開口である。この硬貨投入口２０を通じて投入された硬貨は、硬貨処理装置２１において適宜処理されることになる。硬貨処理装置２１は、硬貨投入口２０を通じて投入された硬貨が正規なものであるか否かを識別し、正規なものとして識別した硬貨を内部に取り込む一方、損傷や偽造等の理由により正規なものとして識別できなかった硬貨を返却するものである。また、硬貨処理装置２１は、硬貨が投入された直後に返却レバー２２が操作された場合、これを返却するように機能する。なお、硬貨処理装置２１によって正規なものとして内部に取り込まれた硬貨は、その後、図示していない硬貨回収箱に回収されることになる。また、硬貨投入口２０から投入した硬貨を返却する場合には、外扉１１の下部に設けた硬貨返却口２３を通じて行われる。
【００２１】
表示部２４は、利用者が投入した貨幣の入金額、釣銭の金額等々、商品を販売する上で必要となる各種情報を外部に表示するためのものであり、例えば液晶表示器によって構成してある。
【００２２】
リーダライタ２５は、例えばＩＣカード等の情報記録媒体に格納してある予め払い込まれた金額に関する情報を読み出し、払い込まれた金額から購入した商品の金額を減じた金額に関する情報を情報記録媒体に書き込むものである。
【００２３】
キーシリンダ２６は、前壁パネル１２の外表面からキーを挿入した状態で操作をした場合、外扉１１の開操作を許容するよう構成したものである。
【００２４】
シャッタ装置３０は、装置本体３１とシャッタ（防護部材）３２とを備えている。
【００２５】
装置本体３１は、右側部３３と左側部３４と上部３５とで構成してある。右側部３３は、図１に示すように、本体キャビネット１０及び外扉１１の右側方を覆う部分である。
【００２６】
右側部３３は、薄い箱状を成し、縦横の大きさが、本体キャビネット１０と外扉１１とを合わせたものの縦横の大きさよりも僅かに大きい。しかも、右側部３３の手前側の側端は、外扉１１の前壁パネル１２より手前側に突出し、右側部３３の上端は、本体キャビネット１０の上部及び外扉１１の上部より上方に突出する。
【００２７】
右側部３３の内部で手前側には、図３に示すように、第１ガイド部材３６ａを設けてあり、右側部３３の内部で上側には、図４に示すように、第１ガイド部材３６ａに連続する第２ガイド部材３７ａを設けてある。第１ガイド部材３６ａは、シャッタ３２の厚さよりも僅かに大きい、平面視がコ字状の凹部Ｈを備えている。第２ガイド部材３７ａは、シャッタ３２の厚さよりも僅かに大きく、第１ガイド部材３６ａの凹部Ｈに連続する側面視がコ字状の凹部Ｈを備えている。凹部Ｈは、図１中、本体キャビネット１０の右側方に向けて形成してある。このような凹部Ｈは、シャッタ３２を案内するためのものである。
【００２８】
左側部３４は、図１に示すように、本体キャビネット１０及び外扉１１の左側方を覆う部分である。左側部３４は、図１及び図２に示すように、薄い箱状を成し、縦横の大きさが、本体キャビネット１０と外扉１１とを合わせたものの縦横の大きさよりも僅かに大きい。しかも、左側部３４の手前側の側端は、外扉１１の前壁パネル１２より手前側に突出し、左側部３４の上端は、本体キャビネット１０の上部及び外扉１１の上部より上方に突出する。そのような左側部３４は、図３に示すように、側板３４ａと可動部３４ｂとで構成してある。
【００２９】
側板３４ａは、板材であって、縦横の大きさが、本体キャビネット１０と外扉１１とを合わせたものの縦横の大きさよりも僅かに大きい。しかも、側板３４ａの手前側の側端は、外扉１１の前壁パネル１２より手前側に突出し、側板３４ａの上端は、本体キャビネット１０の上部及び外扉１１の上部より上方に突出する。左側部３４の内部で側板３４ａの上部には、図４に示すように、第２ガイド部材３７ｂを設けてある。第２ガイド部材３７ｂは、シャッタ３２の厚さよりも僅かに大きい、側面視がコ字状の凹部Ｈを備えている。凹部Ｈは、図１中、本体キャビネット１０の左側方に向けて形成してあり、右側部３３の第２ガイド部材３７ａの凹部Ｈに対向する態様で配置してある。このような凹部Ｈは、シャッタ３２を案内するためのものである。
【００３０】
可動部３４ｂは、図３に示すように、側板３４ａの手前側に配置してあり、左側部３４と外扉１１との間を覆うよう平面視がＬ字状を成す態様で形成してあり、例えばバネ等の付勢部材３８を介して側板３４ａに取り付けてある。可動部３４ｂの手前側には、第２ガイド部材３７ｂに連続する態様で第１ガイド部材３６ｂを設けてある。第１ガイド部材３６ｂは、シャッタ３２の厚さよりも僅かに大きく、第２ガイド部材３７ｂの凹部Ｈに連続する平面視がコ字状の凹部Ｈを備えている。凹部Ｈは、図１中、本体キャビネット１０の左側方に向けて形成してある。このような凹部Ｈは、シャッタ３２を案内するためのものである。
【００３１】
左側部３４と本体キャビネット１０との間には、可動部３４ｂの移動を規制するストッパ３９ａ，３９ｂを設けてある。一方のストッパ３９ａは、本体キャビネット１０に取り付けてあり、他方のストッパ３９ｂは、可動部３４ｂに取り付けてある。可動部３４ｂは、付勢部材３８の付勢力によって、常時、手前側に向けて付勢されているが、他方のストッパ３９ｂが一方のストッパ３９ａに突き当たることにより、左側部３４の第１ガイド部材３６ｂの凹部Ｈが、右側部３３の第１ガイド部材３６ａの凹部Ｈに対向する位置に止めてある。
【００３２】
上部３５は、図４に示すように、左側部３４と右側部３３とを連結する部分であって、薄い箱状を成し、本体キャビネット１０の上方及び外扉１１の上方を覆う部分である。
【００３３】
このように構成してある装置本体３１には、不図示のロック手段を設けてあり、そのロック手段によってシャッタ３２の移動を規制する。
【００３４】
シャッタ３２は、所定幅の金属製の板材をすだれ状に複数つないで一定の長さに構成してある。シャッタ３２は、図１及び図２に示した状態では、右側部３３の第２ガイド部材３７ａと、左側部３４の第２ガイド部材３７ｂとの間、すなわち、外扉１１の前方域から逸脱する位置（収納位置）に配置してある。従って、外扉１１の前方域を覆わず、前壁パネル１２の意匠が隠れることがない。
【００３５】
この状態では、購入者は、硬貨投入口２０に硬貨を投入、又は紙幣挿入口１８に紙幣を挿入する。それにより、自動販売機は、入金処理を行って商品の払い出しを行う。もちろん、購入者は、リーダライタ２５を利用することによって、自動販売機に商品の払い出しをさせることもできる。
【００３６】
この状態から、ロック手段によるシャッタ３２の移動の規制を解除した後、図５及び図６に示すように、ガイド部材３６ａ，３７ａ，３６ｂ，３７ｂで案内したシャッタ３２を、硬貨投入口２０及び紙幣挿入口１８等の金銭入金口、紙幣処理装置１９、硬貨処理装置２１、返却レバー２２及びキーシリンダ２６の前方域を覆う位置（防護位置）に移動してから、ロック手段でシャッタ３２の移動を規制する。この状態では、シャッタ３２は、商品見本陳列部１３、商品取出口１６、表示部２４、リーダライタ２５の前方域を覆っていない。
【００３７】
この自動販売機は、人通りの少ない時間、例えば夜間には、図５及び図６に示すように、シャッタ３２を防護位置で固定する一方、人通りの多い時間、例えば昼間には、図１及び図２に示すように、シャッタ３２を収納位置で固定する。なお、シャッタ３２を防護位置で固定した場合、商品の購入は、リーダライタ２５を利用することによって行う。
【００３８】
上記自動販売機において、商品を補充する場合には、シャッタ３２を収納位置に切り換えてから、図７に示すように、付勢部材３８の付勢力に抗しつつ可動部３４ｂを奥側にスライド移動させた後、外扉１１を開いて行う。
【００３９】
商品を補充した後、外扉１１を閉じてから、付勢部材３８の付勢力によって、可動部３４ｂを手前側にスライド移動し、他方のストッパ３９ｂを一方のストッパ３９ａに突き当てて元の状態に戻す。
【００４０】
この自動販売機によれば、硬貨投入口２０及び紙幣挿入口１８等の金銭入金口の前方域を覆う防護位置と、外扉１１の前方域から逸脱する位置である収納位置とに切り換えることができるシャッタ３２を設けたので、シャッタ３２を防護位置でロックすれば、バール等の工具を金銭入金口に入れることができないので、バール等の工具を用いた手口に対しても金銭入金口の防盗性を確保することができる。
【００４１】
しかも、シャッタ３２を防護位置でロックすれば、キーシリンダ２６の前方域を覆うので、バール等の工具をキーシリンダ２６に入れることができず、バール等の工具を用いた手口に対してもキーシリンダ２６の防盗性を確保することができる。
【００４２】
加えて、人通りの多い時間では、シャッタ３２を、外扉１１の前方域から逸脱する位置である収納位置でロックすることができる。従って、人通りの多い時間では、シャッタ３２で外扉１１を覆わず、前壁パネル１２の意匠が隠れることもない。
【００４３】
よって、この自動販売機によれば、人通りの少ない時間では、シャッタ３２を、金銭入金口、及びキーシリンダ２６の前方域を覆う防護位置に切り換え、人通りの多い時間では、シャッタ３２を、外扉１１の前方域から逸脱する位置である収納位置に切り換えることができるので、前壁パネル１２の意匠が損なわれることを可及的に抑えながら、バール等の工具を用いた手口に対しても金銭入金口及びキーシリンダ２６の防盗性を確保することができる。
【００４４】
なお、上述した実施の形態には、収納位置に切り換えた場合、本体キャビネット１０の上方に移動するシャッタ３２を備える自動販売機で説明した。しかし、この発明はそれに限られず、収納位置に切り換えた場合、本体キャビネット１０の下方に移動するシャッタを備える自動販売機でも上述した作用・効果を奏することができる。
【図面の簡単な説明】
【００４５】
【図１】本発明の実施の形態である自動販売機を概念的に示した正面図である。
【図２】図１に示した自動販売機を概念的に示した側面図である。
【図３】図１における矢視Ｉからの断面平面図である。
【図４】図２における矢視ＩＩからの断面正面図である。
【図５】シャッタ装置が備えるシャッタを防護位置に切り換えた場合を示す説明図である。
【図６】シャッタを防護位置に切り換えた場合を示す側面図である。
【図７】自動販売機に商品を補充する場合を示す説明図である。
【符号の説明】
【００４６】
１１    外扉
１８    紙幣挿入口（金銭入金口）
２０    硬貨投入口（金銭入金口）
３２    シャッタ（防護部材）
【図１】
2006350969.tif 000003
【図２】
2006350969.tif 000004
【図３】
2006350969.tif 000005
【図４】
2006350969.tif 000006
【図５】
2006350969.tif 000007
【図６】
2006350969.tif 000008
【図７】
2006350969.tif 000009